(57)【要約】【課題】  従来の回路筐体取付装置では、台コネクタと筐コネクタとの接続を解除する際に、電気接続端子が折れ曲がってしまう。【解決手段】  回路筐体６３Ａと、回路筐体に設けられた筐係合部１３４と、回路筐体に配置された電源接続コネクタ１３３（筐コネクタ）と、裏面５５（回路筐体設置）に取り付けられた取付台７０と、取付台に設けられた台係合部９２と、取付台に設けられた電源基板接続コネクタ８７（台コネクタ）と、取付台に回転可能に設けられた解除操作体９５と、解除操作体に解除操作体と一緒に回転するように設けられた解除爪１０３とを備え、筐係合部と台係合部とが互いに係合されたまま、回路筐体が取付台に対し平行に移動されることによって、筐コネクタと台コネクタとが互いに接続された状態において、解除操作体が人による回転操作によって、解除爪が上記筐コネクタと台コネクタとの接続を解除する方向に回路筐体を押し動かすことを特徴とする。【選択図】図１
2006334159.tif 000002
【特許請求の範囲】
【請求項１】
電気部品の実装された回路基板を収納した回路筐体と、回路筐体に設けられた筐係合部と、回路基板に実装されて回路筐体の外部から接続可能に回路筐体に配置された電気的な筐コネクタと、遊技機の回路筐体設置部に取り付けられた取付台と、取付台に設けられた台係合部と、回路基板との電気エネルギの授受のために取付台に設けられた電気的な台コネクタと、取付台に回転可能に設けられた解除操作体と、解除操作体に解除操作体と一緒に回転するように設けられた解除爪とを備え、筐係合部と台係合部とが互いに係合されたまま、回路筐体が取付台に対し平行に移動されることによって、筐コネクタと台コネクタとが互いに接続された状態において、解除操作体が人による回転操作によって、解除爪が上記筐コネクタと台コネクタとの接続を解除する方向に回路筐体を押し動かすことを特徴とする遊技機の回路筐体取付装置。
【請求項２】
取付台が回路筐体設置部に近づく方向と回路筐体設置部より離れる方向とに変形可能な弾性片を備え、弾性片がストッパを回路筐体設置部から離れる方向に突出するように備え、回路筐体の筐係合部が取付台の裏側から台係合部に挿入されるのに伴い、ストッパが回路筐体で回路筐体設置部の方向に押されて、弾性片が回路筐体設置部の方向に撓み、回路筐体が取付台に対し平行に移動されるのに伴い、筐係合部と台係合部とが互いに係合されつつ筐コネクタと台コネクタとが互いに接続されるとともに上記ストッパの回路筐体設置部の方向への押されが解除されると、弾性片が自身の弾性で回路筐体設置部より離れる方向に復元し、ストッパが回路筐体の筐コネクタの設けられている側とは反対側の面に係合して回路筐体の筐コネクタと台コネクタとの接続の解除される方向への移動を阻止したことを特徴とする請求項１に記載の遊技機の回路筐体取付装置。
【請求項３】
筐コネクタと台コネクタとの互いに接続された状態から回路筐体を取付台に対し平行に移動して筐コネクタと台コネクタとの接続の解除されるまでの距離が、上記筐コネクタと台コネクタとの互いに接続された状態から回路筐体を取付台に対し平行に移動して筐係合部と台係合部との係合の離脱されるまでの距離より短いことを特徴とする請求項１または請求項２に記載の遊技機の回路筐体取付装置。
【発明の詳細な説明】
【技術分野】
【０００１】
本発明は、台コネクタと筐コネクタとの接続を解除する際において台コネクタや筐コネクタの電気接続端子に電気接続端子を折れ曲がらせるような外力を加わらないようにできて電気接続端子の折れ曲がりを防止可能な遊技機の回路筐体取付装置に関する。
【背景技術】
【０００２】
遊技機の回路筐体取付装置は、遊技機枠の裏面の取付台に設けた台コネクタと回路筐体に設けた筐コネクタとが互いに接続された状態において、解除レバーの操作により上記台コネクタと筐コネクタとの接続を解除するようにしている。しかしながら、台コネクタと回路筐体に設けた筐コネクタとが互いに接続された状態では、回路筐体が取付台に固定されておらず、上記台コネクタと筐コネクタとの嵌め合いによる接続によって回路筐体を取付台に支持した構造である。よって、上記台コネクタと筐コネクタとの接続を解除する場合、解除レバーが回路筐体を取付台から離すのに伴い、台コネクタと筐コネクタとの電気的な接続を構成する電気接続端子同士の嵌め合い量が減少する過程において、例えば回路筐体の取付台から離れる方向と交差する方向の外力が回路筐体に加わった場合、電気接続端子が折れ曲がり、台コネクタや筐コネクタが破損するという欠点がある。
【特許文献１】特許第２９９７９５４号公報
【発明の開示】
【発明が解決しようとする課題】
【０００３】
発明が解決しようとする問題点は、台コネクタと筐コネクタとの接続を解除する際において、台コネクタと筐コネクタとの電気接続端子同士の嵌め合い量が減少する過程で電気接続端子に電気接続端子を折れ曲がらせるような外力が加わった場合に電気接続端子が折れ曲がってしまうという点である。
【課題を解決するための手段】
【０００４】
本発明に係る遊技機の回路筐体取付装置は、電気部品の実装された回路基板を収納した回路筐体と、回路筐体に設けられた筐係合部と、回路基板に実装されて回路筐体の外部から接続可能に回路筐体に配置された電気的な筐コネクタと、遊技機の回路筐体設置部に取り付けられた取付台と、取付台に設けられた台係合部と、回路基板との電気エネルギの授受のために取付台に設けられた電気的な台コネクタと、取付台に回転可能に設けられた解除操作体と、解除操作体に解除操作体と一緒に回転するように設けられた解除爪とを備え、筐係合部と台係合部とが互いに係合されたまま、回路筐体が取付台に対し平行に移動されることによって、筐コネクタと台コネクタとが互いに接続された状態において、解除操作体が人による回転操作によって、解除爪が上記筐コネクタと台コネクタとの接続を解除する方向に回路筐体を押し動かすことを特徴とする。取付台が回路筐体設置部に近づく方向と回路筐体設置部より離れる方向とに変形可能な弾性片を備え、弾性片がストッパを回路筐体設置部から離れる方向に突出するように備え、回路筐体の筐係合部が取付台の裏側から台係合部に挿入されるのに伴い、ストッパが回路筐体で回路筐体設置部の方向に押されて、弾性片が回路筐体設置部の方向に撓み、回路筐体が取付台に対し平行に移動されるのに伴い、筐係合部と台係合部とが互いに係合されつつ筐コネクタと台コネクタとが互いに接続されるとともに上記ストッパの回路筐体設置部の方向への押されが解除されると、弾性片が自身の弾性で回路筐体設置部より離れる方向に復元し、ストッパが回路筐体の筐コネクタの設けられている側とは反対側の面に係合して回路筐体の筐コネクタと台コネクタとの接続の解除される方向への移動を阻止したことも特徴とする。筐コネクタと台コネクタとの互いに接続された状態から回路筐体を取付台に対し平行に移動して筐コネクタと台コネクタとの接続の解除されるまでの距離が、上記筐コネクタと台コネクタとの互いに接続された状態から回路筐体を取付台に対し平行に移動して筐係合部と台係合部との係合の離脱されるまでの距離より短いことも特徴とする。
【発明の効果】
【０００５】
本発明に係る遊技機の回路筐体取付装置によれば、解除爪による押圧と筐係合部と台係合部との係合とにより、回路筐体が取付台に対し平行に移動した後に、筐コネクタと台コネクタとの接続が解除されるので、台コネクタや筐コネクタの電気接続端子に、電気接続端子を折れ曲がらせるような外力が加わらず、筐コネクタと台コネクタとの接続を解除する際において台コネクタや筐コネクタの電気接続端子の折れ曲がりを防止でき、台コネクタや筐コネクタの破損を防止できる。筐係合部と台係合部との係合とストッパと回路筐体との係合とによって、回路筐体の取付台からの脱落を防止できる。また、回路筐体の、回路筐体設置部より離れる方向への移動、筐コネクタと台コネクタとの接続の解除される方向への移動が阻止されるので、遊技機の稼動中の振動に伴う回路筐体の揺れを小さくできる。よって、台コネクタと筐コネクタとの電気接続端子同士が離れたり接触したりを繰り返すような現象を防止でき、当該現象に伴う電気的なノイズの発生を防止できる。筐コネクタと台コネクタとの互いに接続された状態から回路筐体を取付台に対し平行に移動して筐コネクタと台コネクタとの接続の解除されるまでの距離を、上記筐コネクタと台コネクタとの互いに接続された状態から回路筐体を取付台に対し平行に移動して筐係合部と台係合部との係合の離脱されるまでの距離より短くしたので、筐コネクタと台コネクタとの接続が解除される前に回路筐体を回路筐体設置部より離れる方向に移動させようとしても筐係合部と台係合部との係合により阻止されて移動させることができないので、筐コネクタと台コネクタとの接続が解除される前に互いに接続している電気接続端子に、電気接続を折れ曲がらせるような外力が加わることを阻止できる。よって、筐コネクタと台コネクタとの接続を解除する際において電気接続端子の折れ曲がりを防止でき、筐コネクタや台コネクタの破損を防止できる。
【発明を実施するための最良の形態】
【０００６】
図１乃至図１１は、遊技機の回路筐体取付装置の最良の形態を示す。図１は、回路筐体取付装置を示す。図２は筐コネクタと台コネクタとを互いに接続する際の過程を示す。図３は、筐コネクタと台コネクタとの接続を解除する際の過程を示す。図４は、パチンコ機の遊技機枠と遊技盤とを分解して示す。図５は、可動枠の裏面構造示す。図６は、可動枠における前壁の裏面構造を示す。図７は、回路筐体取付装置を分解して示す。図８は、回路筐体取付装置を分解して示す。図９は、解除操作装置を分解して示す。図１０は、解除操作装置を示す。図１１は、回路筐体取付装置を下方から見て示す。この明細書において、「前」、「後」、「裏」、「左」、「右」、「上」、「下」の方向は、図４の状態に遊技機枠１Ａおよび遊技盤４０を置いて矢印Ａで示す前側から見た場合に特定される方向である。「後」と「裏」とは同じ方向である。
【０００７】
図１乃至図３を参照し、最良の形態による回路筐体取付装置１の概要を説明する。尚、図１乃至図３では、図５乃至図１１に示す回路筐体取付装置１の形状を簡略化して示している。図１を参照し、遊技機としてのパチンコ機の回路筐体取付装置１の構造について説明する。回路筐体取付装置１は、回路筐体としての電源装置６３の回路筐体６３Ａ、筐係合部１３４、筐コネクタとしての電源接続コネクタ１３３、取付台７０、台係合部９２、台コネクタとしての電源基板接続コネクタ８７、解除操作体９５、解除爪１０３を備える。回路筐体６３Ａ内には、電気部品１３１の実装された回路基板１３２が止ねじ１３２ａにより固定状態に収納されて電源装置６３が形成される。筐係合部１３４は、回路筐体６３Ａの外面に形成される。電気的な筐コネクタ１３３は、回路基板１３２に実装されて回路筐体６３Ａの外部から接続可能に回路筐体６３Ａの一面６３Ｂに配置される。取付台７０は、パチンコ機の回路筐体設置部としての、例えば、パチンコ機の可動枠３における前壁２３の裏面５５に取り付けられる。取付台７０は、弾性片１１０、ストッパ１１１を備える。弾性片１１０は、裏面５５に近づく方向と裏面５５より離れる方向とに変形可能でありストッパ１１１を裏面５５から離れる方向に突出するように備える。台係合部９２は取付台７０に設けられる。電源基板接続コネクタ８７は、回路基板１３２との電気エネルギの授受のために取付台７０に設けられる。解除操作体９５は、取付台７０に回転可能に設けられる。解除爪１０３は解除操作体９５と一緒に回転するように設けられる。
【０００８】
図２を参照し、電源接続コネクタ１３３と電源基板接続コネクタ８７とを互いに接続する場合を説明する。（ａ）図のように回路筐体６３Ａの筐係合部１３４を取付台７０の台係合部９２の位置に合わせ、（ｂ）図のように回路筐体６３Ａの筐係合部１３４が取付台７０の裏側から台係合部９２に挿入されるのに伴い、ストッパ１１１が回路筐体６３Ａにより裏面５５の方向に押されて、弾性片１１０が裏面５５の方向に撓む。そして、回路筐体６３Ａが取付台７０に対し平行に移動されるのに伴い、（ｃ）図のように筐係合部１３４と台係合部９２とが互いに係合されつつ電源接続コネクタ１３３と電源基板接続コネクタ８７とが互いに接続されるとともに上記ストッパ１１１の裏面５５の方向への押されが解除されると、弾性片１１０が自身の弾性で裏面５５より離れる方向に復元し、ストッパ１１１が回路筐体６３Ａの電源接続コネクタ１３３の設けられている一面６３Ｂとは反対側に位置する係止面６３Ｄに係合する。これにより、回路筐体６３Ａの、電源接続コネクタ１３３と電源基板接続コネクタ８７との接続の解除される方向への移動が阻止される。
【０００９】
したがって、筐係合部１３４と台係合部９２との係合とストッパ１１１と係止面６３Ｄとの係合とによる協働によって、回路筐体６３Ａの取付台７０からの脱落を防止できる。また、回路筐体６３Ａの、裏面５５より離れる方向への移動、電源接続コネクタ１３３と電源基板接続コネクタ８７との接続の解除される方向への移動が阻止されるので、パチンコ機の稼動中の振動に伴う回路筐体６３Ａの揺れを小さくでき、電源接続コネクタ１３３と電源基板接続コネクタ８７との電気的な接続を構成する電気接続端子としての雄端子５６と雌端子５７とが離れたり接触したりを繰り返すような現象を防止でき、当該現象に伴う電気的なノイズの発生を防止できる。
【００１０】
図３を参照し、電源接続コネクタ１３３と電源基板接続コネクタ８７との接続を解除する場合を説明する。電源接続コネクタ１３３と電源基板接続コネクタ８７とが互いに接続された状態から、（ａ）図のように人が指や治具でストッパ１１１を裏面５５の方向に押している状態で、（ｂ）図のように人が解除操作体９５を回転操作することによって、解除爪１０３が上記電源接続コネクタ１３３と電源基板接続コネクタ８７との接続を解除する方向に回路筐体６３Ａを押し動かす。これにより、上記電源接続コネクタ１３３と電源基板接続コネクタ８７との接続が解除されるとともに回路筐体６３Ａがストッパ１１１の裏面を押し、ストッパ１１１を裏面５５の方向に押す。さらに、（ｃ）図のように人が解除操作体９５を回転操作することで、解除爪１０３が上記電源接続コネクタ１３３と電源基板接続コネクタ８７との接続を解除する方向に筐係合部１３４と台係合部９２との係合が解除されるまで回路筐体６３Ａを押し動かす。そして、筐係合部１３４と台係合部９２との係合の離脱により、回路筐体６３Ａが取付台７０より外れる。また、上記電源接続コネクタ１３３と電源基板接続コネクタ８７との互いに接続された状態から回路筐体６３Ａを取付台７０に対し平行に移動して上記電源接続コネクタ１３３と電源基板接続コネクタ８７との接続の解除されるまでの距離ａを、上記電源接続コネクタ１３３と電源基板接続コネクタ８７との互いに接続された状態から回路筐体６３Ａを取付台７０に対し平行に移動して筐係合部１３４と台係合部９２との係合の離脱されるまでの距離ｂより短くした（図３の（ｃ）図参照）。
【００１１】
従って、電源接続コネクタ１３３と電源基板接続コネクタ８７との接続を解除する際に、解除爪１０３による押圧と筐係合部１３４と台係合部９２との係合とにより、回路筐体６３Ａが取付台７０に対し平行に移動するので、電源接続コネクタ１３３の雄端子５６や電源基板接続コネクタ８７の雌端子５７に、雄端子５６や雌端子５７を折れ曲がらせるような外力である例えば取付台７０と直交する方向の外力が加わらないので、電源接続コネクタ１３３と電源基板接続コネクタ８７との接続を解除する際において雄端子５６や雌端子５７の折れ曲がりを防止でき、電源接続コネクタ１３３や電源基板接続コネクタ８７の破損を防止できる。
【００１２】
上記距離ａを上記距離ｂより短くしたので、電源接続コネクタ１３３と電源基板接続コネクタ８７との接続が解除される前に回路筐体６３Ａを裏面５５より離れる方向に移動させようとしても筐係合部１３４と台係合部９２との係合により阻止されるので、電源接続コネクタ１３３と電源基板接続コネクタ８７との接続が解除される前に互いに接続している雄端子５６や雌端子５７に、雄端子５６や雌端子５７を折れ曲がらせるような外力である例えば取付台７０と直交する方向の外力が加わることを阻止できるので、電源接続コネクタ１３３と電源基板接続コネクタ８７との接続を解除する際において雄端子５６や雌端子５７の折れ曲がりを防止でき、電源接続コネクタ１３３や電源基板接続コネクタ８７の破損を防止できる。
【００１３】
図４を参照し、回路筐体取付装置１を備えたパチンコ機における遊技機枠１Ａと遊技盤４０との構造について説明する。遊技機枠１Ａは、固定枠２の前側に可動枠３を左側のヒンジ４で横方向に片開き可能に取り付け、可動枠３の前側に扉５および球皿構造体６を左側のヒンジ７で横方向に片開き可能に取り付けた構造である。固定枠２は、パチンコ店の図外の島と呼ばれる遊技機設置構造体に取り付けるための外枠とも呼ばれ、前後方向に貫通した縦長な長方形の空間を囲む額縁形状である。可動枠３は、遊技盤４０を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４０を装着する前側に開口した盤収納室１５の背壁１６に前後方向に貫通する中央開口部１７を備える。背壁１６の左側部には、盤押圧体１８および盤受ストッパ１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４０を搭載する左右方向に平坦な面としての盤棚２２を形成する。
【００１４】
盤棚２２から下方に延設された盤収納構造体９における前壁２３の前面には、球発射機構２４、球発射レール２５、ファール球取入口２６、払出球中継樋２７が設けられる。球発射レール２５は、球皿構造体６の球供給口３４から供給された１個の球を受け取る。球発射機構２４は、電力の供給と遮断とを交互に受けることによって、球皿部３１から球発射レール２５に供給された球を遊技盤４０の遊技領域４１に向けて１個ずつ発射する。球発射レール２５は、球発射機構２４から発射された球を、遊技盤４０における球発射通路５０の入口に誘導する。払出球中継樋２７は、可動枠３の裏側に設けられた球払出装置６２（図５参照）から払い出された球を球皿構造体６の球取入口３３に排出する。前壁２３の裏面５５には、機外排出樋６５が設けられる。機外排出樋６５は、遊技盤４０の裏側から排出された球を受け取って遊技機設置構造体における捕球機構に排出する。扉５は、パネル枠とも呼ばれ、前後方向に貫通する窓２９を囲む額縁形状である。扉５の裏面には、前面パネル３０が窓２９を覆う格好で扉５の裏側から取り付けられる。前面パネル３０は、ガラスまたは合成樹脂などの材料からなる光を透過する性質の有る板状である。球皿構造体６の前面には、球皿部３１および発射操作機構３２が設けられる。球皿部３１は、遊技に使用する球を受ける容器であって、球を収容する部分を上方に開口した上方から下方に窪む窪みとして有する。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。
【００１５】
遊技機枠１Ａでは、可動枠３や扉５および球皿構造体６が閉じられてロック機構１１乃至１３で開閉不能に支持された場合、遊技店の店員が図外のキープレート（鍵）を遊技機枠１Ａの前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【００１６】
遊技盤４０の前面には、内ガイドレール４２と外ガイドレール４３とで囲まれた内側の遊技領域４１に、入賞部品４４、遊技釘４５、風車４６、サイドランプ４７、飾り部品４８、アウト口４９などの前側部品を備える。飾り部品４８は、センター飾りとも呼ばれる。飾り部品４８の裏側には、画像表示装置が配置される。画像表示装置は、画像表示装置の表示画面に表示された画像が遊技盤４０の前側から飾り部品４８の光を透過する性質の有る合成樹脂からなる保護パネルを通して見えるように、遊技盤の裏面における球案内構造体に取り付けられる。内ガイドレール４２の左側部と外ガイドレール４３の左側部との間に形成された隙間は、球発射通路５０である。球発射通路５０は、球発射機構２４から発射された球を遊技領域４１に誘導する。遊技盤４０の右側部には、盤側取付部５１が、上下に位置して設けられる。盤側取付部５１は、ロック挿入孔５２を個別に備える。
【００１７】
遊技盤４０の裏面には、図示は省略するが、球案内構造体、画像表示装置、演出制御装置、主制御装置が取り付けられる。球案内構造体は、セット板とも呼ばれ、遊技盤４０の遊技領域４１から裏面に排出されたパチンコ球と呼ばれる球を、下方に誘導して排出する。画像表示装置は、液晶表示器のように電気的に表示形態を変えられる画像を表示画面に表示する図柄表示器とも呼ばれる画像表示器と、画像表示器を制御する図柄制御装置とが、１つの収納箱の内部に装着された構造である。主制御装置は、遊技の全般を制御するものであって、ＣＰＵ、ＲＯＭ、ＲＡＭ、入力インターフェース、出力インターフェースなどのような、電気部品の実装されたプリント配線板からなる回路基板が、光を透過する性質の有る無色な合成樹脂からなる収納箱の内部に格納され、収納箱が開閉できないように封止部で封印された、構造である。演出制御装置は、主制御装置からの出力によって、表示灯やスピーカなどの遊技を演出する部品を制御するものであって、ＣＰＵ、ＲＯＭ、ＲＡＭ、入力インターフェース、出力インターフェースなどのような、電気部品の実装された回路基板が、光を透過する性質の有る無色な合成樹脂からなる収納箱の内部に格納された、構造である。
【００１８】
そして、遊技盤４０は、遊技機枠１Ａに次のように装着される。扉５が可動枠３の前側に開けられた状態において、遊技盤４０の前面が前側に向けられ、遊技盤４０の裏側が遊技機枠１Ａの方向に向けられ、遊技盤４０が可動枠３の前側から盤収納室１５に挿入され、遊技盤４０の下部が盤棚２２の上に載せられ、遊技盤４０の左側部が盤押圧体１８と盤受ストッパ１９との間に挿入され、遊技盤４０の左側部が盤押圧体１８で前側に押されつつ盤押圧体１８と盤受ストッパ１９とで前後方向から挟まれた後、遊技盤４０の右側部が作業者によって後側に押されると、盤ロック機構２０のロック操作体２１が盤側取付部５１のロック挿入孔５２に後側から挿入されて前側に突出する。その状態において、作業者がロック操作体２１を例えば左方向に９０度回転操作すると、ロック操作体２１がロック挿入孔５２の周りにおける盤側取付部５１と係合し、遊技盤４０が可動枠３に取り付けられる。このように遊技盤４０が可動枠３に取り付けられた場合、遊技盤４０の裏面における球案内構造体と画像表示装置と取付台および主制御装置が、中央開口部１７を経由して盤収納構造体９より裏側に突出する。
【００１９】
図５を参照し、可動枠３の裏面構造について説明する。可動枠３の裏面６０には、タンク６１、球払出装置６２、払出樋６２ａ、電源装置６３、発射払出制御装置６４、機外排出樋６５が設けられる。タンク６１は中央開口部１７の上縁に沿った可動枠３の裏面６０に設けられる。球払出装置６２は中央開口部１７の右縁に沿った可動枠３の裏面６０に設けられる。電源装置６３は、可動枠３の裏面６０における前壁２３の裏面５５の右側に設けられる。発射払出制御装置６４は、前壁２３の裏面５５における左側に設けられる。機外排出樋６５は、前壁２３の裏面５５に取り付けられた電源装置６３と発射払出制御装置６４との間の裏側を経由して可動枠３の下部の方向に延長する。前壁２３の裏面５５には、電源装置６３や発射払出制御装置６４、複数の中継基板を取り付けるための取付台７０が設けられる。複数の中継基板は、電源中継基板８６、発射払出中継基板１２０である（図７参照）。
【００２０】
図６に示すように、裏面５５に取り付けられた電源装置６３の回路筐体６３Ａの発射払出制御装置６４側になる左側の裏には、裏面５５の方向に窪んで機外排出樋６５を逃げるための凹部６６が形成される。この回路筐体６３Ａの凹部６６の裏側において取付台７０の仕切壁７２と回路筐体６３Ａとの間に機外排出樋６５が配置される。これにより、機外排出樋６５の裏側への突出量を抑えることができて、可動枠３の裏構造を平坦化できる。よって、遊技機設置構造体において互いに裏側を向き合わせて設置されるパチンコ機の設置に必要な設置スペースを小さくできる。また、可動枠３の裏構造が平坦化されるので、運びやすいパチンコ機の可動枠３となる。
【００２１】
図７乃至図１１を参照し、回路筐体取付装置１の構造を詳細に説明する。図７に示すように、取付台７０は、取付基盤７１、仕切壁７２、中継基板取付部７３、発射払出制御装置取付部７４を備える。取付基盤７１は、回路筐体取付部７５、電源中継基板取付部７６を備える。取付基盤７１は、止ねじ７１ａにより裏面５５に取り付けられる左右に長い板である。取付基盤７１の右側部分は回路筐体取付部７５として機能し、取付基盤７１の左側部分は電源中継基板取付部７６として機能する。仕切壁７２は、取付基盤７１の裏面７７より裏側に突出し、回路筐体取付部７５と電源中継基板取付部７６とを区切る。回路筐体取付部７５の上端には裏側に突出する上壁７８を備え、回路筐体取付部７５の下端には裏側に突出する下壁７９を備える。回路筐体取付部７５と上壁７８と下壁７９と仕切壁７２とにより回路筐体設置領域８０が形成される。電源中継基板取付部７６の上下方向の長さは、回路筐体取付部７５の上下方向の長さより長い。電源中継基板取付部７６の上端には裏側に突出する上壁８１を備え、電源中継基板取付部７６の左端には裏側に突出して仕切壁７２と平行に対向する対向壁８２を備える。電源中継基板取付部７６と上壁８１と仕切壁７２と対向壁８２とにより発射払出制御装置設置領域８３が形成される。上壁８１の下面が中継基板取付部７３として機能する。発射払出制御装置取付部７４は、仕切壁７２、対向壁８２、係合突起８４により形成される。係合突起８４は、仕切壁７２と対向壁８２とにおいて互いに対向する面のそれぞれに個別に設けられる。仕切壁７２には、コネクタ接続孔８５が形成される。コネクタ接続孔８５と隣り合う電源中継基板取付部７６には、止ねじ８６ａにより電源中継基板８６が取り付けられる。電源中継基板８６には、台コネクタとしての電源基板接続コネクタ８７が実装される。
【００２２】
図８に示すように、電源基板接続コネクタ８７の接続端部８８がコネクタ接続孔８５を経由して電源中継基板取付部７６側から回路筐体取付部７５側に突出する。回路筐体取付部７５は、解除爪配置孔９０、解除操作装置９１、筐係合部９２、取付保持部材９３を備える。解除爪配置孔９０は、回路筐体取付部７５の前面７５ａと裏面７５ｂとに貫通するように回路筐体取付部７５に形成される。解除爪配置孔９０は、回路筐体取付部７５における、仕切壁７２に近い位置でかつコネクタ接続孔８５の位置の前方側に形成される。
【００２３】
図９を参照し、解除操作装置９１の構成を説明する。解除操作装置９１は、解除操作体９５、解除爪体９６、解除操作体支持部９７とにより形成される。解除操作体９５は、丸棒のような棒体９８により形成される。棒体９８の一端部は屈曲されて持手部９９に形成される。棒体９８の他端部は断面半月状の解除爪体取付部１００に形成される。解除爪体９６は、基盤１０１、接続フランジ１０２、解除爪１０３を備える。基盤１０１は、上端と下端とに、前側に突出する接続フランジ１０２；１０２を備え、一側端には、裏側に突出する解除爪１０３を備える。解除爪１０３は、平板よりなる基盤１０１の板面と直交する方向に延長する平板により形成される。接続フランジ１０２には、解除操作体９５の解除爪体取付部１００を貫通させる断面半月状の取付孔１０４が形成される。解除操作体支持部９７は、上下の取付フランジ１０５；１０５と取付フランジ１０５の上面と下面とに貫通するように取付フランジ１０５に形成された貫通孔１０６とにより形成される。取付フランジ１０５は、回路筐体取付部７５の前面７５ａにおける解除爪配置孔９０の上部側の位置と解除爪配置孔９０の下部側の位置より前側に突出する。解除爪配置孔９０の左縁９０ａと右縁９０ｂとの間において回路筐体取付部７５の前面７５ａ及び仕切壁７２の右面７２ａと平行に沿って上下に延長する棒体９８が、上下の取付フランジ１０５；１０５の貫通孔１０６；１０６を貫通する。解除操作装置９１の組み立て方法について説明する。解除操作体９５の解除爪体取付部１００を、下の取付フランジ１０５の貫通孔１０６に通すとともに解除爪体９６の解除爪１０３を解除爪配置孔９０に貫通させた状態で解除爪体９６の接続フランジ１０２；１２０の取付孔１０４；１０４に通し、さらに、上の取付フランジ１０５の貫通孔１０６に通す。そして、上の取付フランジ１０５の貫通孔１０６より上部に突出する解除爪体取付部１００に形成された止輪取付部６７に止輪６８を取り付けることによって、図１０に示すように、回路筐体取付部７５の前面７５ａに解除操作装置９１が取り付けられる。解除爪１０３は、解除操作体９５の棒体９８の軸中心を回転中心として仕切壁７２の方向と回路筐体取付部７５の方向とに回転可能である。持手部９９を右方向に回転させると解除爪１０３が回路筐体取付部７５の方向に倒れ、持手部９９を左方向に回転させると解除爪１０３が仕切壁７２の方向に立ち上がる。解除操作装置９１は、解除爪体９６が解除操作体９５に着脱可能に取り付けられただけの簡単な構成により実現できる。
【００２４】
解除爪１０３は、解除爪配置孔９０を経由して回路筐体取付部７５の裏側に突出する上下に幅広の長方形状に形成される。回路筐体６３の一面６３Ｂの上下の中間部分には、電源基板接続コネクタ８７と電源接続コネクタ１３３とが接続された状態で解除爪配置孔９０より突出する解除爪１０３の入り込む凹部１５０が、一面６３Ｂと前面６３Ｆとに跨って形成される（図７参照）。この凹部１５０において係止面６３Ｄに近い側の面が、解除爪により押圧される被押圧面１５１として形成される（図１参照）。回路筐体６３に凹部１５０を設けたことにより、板圧の厚い解除爪１０３を設けることができるので、電源基板接続コネクタ８７と電源接続コネクタ１３３との接続の解除される方向に回路筐体６３を確実に押し動かすことができる。また、凹部１５０を回路筐体６３の上下方向に長く形成するとともに、解除爪１０３も回路筐体６３の上下方向に長く形成することによって、被押圧面１５１も回路筐体６３の上下方向に長くできる。これにより、回路筐体６３Ａを、電源基板接続コネクタ８７と電源接続コネクタ１３３との接続の解除される方向に真直ぐに押し動かすことができる。つまり、回路筐体６３が上下の方向に傾くことによって雄端子５６や雌端子５７を折れ曲がらせるような外力となる上下方向からの力が雄端子５６や雌端子５７に加わらないようにできるので、電源接続コネクタ１３３と電源基板接続コネクタ８７との接続を解除する際において雄端子５６や雌端子５７の折れ曲がりを防止でき、電源接続コネクタ１３３や電源基板接続コネクタ８７の破損を防止できる。
【００２５】
図８に戻って、台係合部９２は、貫通孔１０８、係合溝部１０９を備える。貫通孔１０８は、回路筐体取付部７５の前面７５ａと裏面７５ｂとに貫通するよう回路筐体取付部７５に形成される。係合溝部１０９は、貫通孔１０８の左縁１０８ａから仕切壁７２の方向に延長するよう回路筐体取付部７５の前面７５ａに形成される。台係合部９２は、回路筐体取付部７５の上下方向に沿って複数個設けられるとともに回路筐体取付部７５の左右方向に沿って複数個設けられる。
【００２６】
取付保持部材９３は、回路筐体取付部７５の右端部の下部に形成される。取付保持部材９３は、弾性片１１０、ストッパ１１１を備える。弾性片１１０は、回路筐体取付部７５の右端側面の上下の中央より少し下の位置から仕切壁７２の方向に向けて回路筐体取付部７５に形成された上切込溝１１２と右端側面の下部側から仕切壁７２の方向に向けて回路筐体取付部７５に形成された下切込溝１１３とによって回路筐体取付部７５から区切られた板部により形成される。つまり、弾性片１１０は、回路筐体取付部７５の右端下部に形成された上切込溝１１２と下切込溝１１３との間に存在する片持ち梁状の板により形成され、上切込溝１１２の終端１１４と下切込溝１１３の終端１１５とを結ぶ回路筐体取付部７５の板部を支点として裏面５５に近づく方向と裏面５５より離れる方向とに変形可能である。ストッパ１１１は、弾性片１１０の右端に設けられて、回路筐体取付部７５の右端側面より右側に突出し、かつ、回路筐体取付部７５の裏面７５ｂより裏側に突出する。ストッパ１１１の左端面１１６が回路筐体６３Ａの止面として機能する。
【００２７】
図１１に示すように、中継基板取付部７３には、発射払出中継基板１２０が取り付けられる。発射払出中継基板１２０には、発射払出制御装置接続コネクタ１２１、球貸出装置接続コネクタ１２２、及び、複数の中継コネクタが実装される。複数の中継コネクタは、発射払出制御装置用中継コネクタ１２３、枠装着部品用中継コネクタ１２４、払出装置用中継コネクタ１２５、主制御装置用中継コネクタ１２６、球皿構造体用中継コネクタ１２７である。電源中継基板８６には、電源基板接続コネクタ８７の他に、電源コネクタ１２８、発射払出制御装置用中継コネクタ１２９、演出制御装置用中継コネクタ１３０が実装される。図示しないが、電源コネクタ１２８には、図外の遊技機設置構造体の電源設備からの電源供給端子が接続される。発射払出制御装置用中継コネクタ１２３と発射払出制御装置用中継コネクタ１２９とが配線により接続される。枠装着部品用中継コネクタ１２４と枠用外部端子板とが配線により接続され、枠用外部端子板とホールコンピュータとが配線により接続される。払出装置用中継コネクタ１２５と払出中継端子板とが配線により接続され、払出中継端子板と球払出装置６２とが配線により接続される。主制御装置用中継コネクタ１２６と主制御中継端子板とが配線により接続され、主制御中継端子板と主制御基板とが配線により接続される。球皿構造体用中継コネクタ１２７と球皿制御基板とが配線により接続される。演出制御装置用中継コネクタ１３０と演出制御基板とが配線により接続される。球貸出装置接続コネクタ１２２と球貸出装置接続端子板とが配線により接続され、球貸出装置接続端子板と球貸出装置とが配線により接続される。尚、いわゆる現金機の場合は、球貸出装置接続コネクタ１２２は設けられない。図１；図７；図８では、図１１で示した取付台７０の球貸出装置の接続に関係する部位の図示を省略している。
【００２８】
図８に戻って、回路筐体６３Ａの前面６３Ｆ、つまり、回路筐体取付部７５と対向する側の面には、台係合部９２と互いに係合する筐係合部１３４が設けられる。筐係合部１３４は、突出片１３５と係合片１３６とで形成される。突出片１３５は、回路筐体６３Ａの前面６３Ｆより前側に突出する。係合片１３６は、突出片１３５の前端より一面６３Ｂの方向に延長する。係合片１３６は、台係合部９２の貫通孔１０８を経由して係合溝部１０９内に出入可能に形成される。
【００２９】
図７に戻って、発射払出制御装置６４の筐体６４Ａ内には、発射払出制御装置の図外の電気部品を実装した回路基板が収納される。回路基板に接続された接続コネクタ１４０が筐体６４Ａの上面より突出して設けられ、筐体６４Ａの左右の側面には取付係合溝１４１が形成される。発射払出制御装置６４を発射払出制御装置取付部７４に取り付ける際には、筐体６４Ａの側面の取付係合溝１４１と発射払出制御装置取付部７４の係合突起８４とを係合させて筐体６４Ａを裏面５５の方向に押し込んでから上方に持ち上げて接続コネクタ１４０を発射払出制御装置接続コネクタ１２１に接続する。
【００３０】
図２に示すように、電源装置６３の回路筐体６３Ａの係合片１３６を取付台７０の貫通孔１０８の裏側に位置させた状態から（図２の（ａ）図参照）、係合片１３６を貫通孔１０８の裏側から貫通孔１０８に通し、回路筐体６３Ａの前面６３Ｆを回路筐体取付部７５の裏面７５ｂに押し付けてストッパ１１１を裏面５５の方向に押圧した状態とする（図２の（ｂ）図参照）。そして、回路筐体６３Ａを仕切壁７２の方向に移動させ、電源接続コネクタ１３３を電源基板接続コネクタ８７に接続する（図２の（ｃ）図参照）。電源接続コネクタ１３３と電源基板接続コネクタ８７とが接続された状態において、係合片１３６と係合溝部１０９とが互いに係合し、回路筐体６３Ａの係止面６３Ｄがストッパ１１１より仕切壁７２側に位置され、ストッパ１１１は弾性片１１０の弾性により裏側に移動し、ストッパ１１１の左端面１１６が回路筐体６３Ａの係止面６３Ｄと係合する。つまり、電源接続コネクタ１３３と電源基板接続コネクタ８７とが接続され、回路筐体６３Ａが回路筐体取付部７５に取り付けられる。
【００３１】
電源接続コネクタ１３３と電源基板接続コネクタ８７とが接続された状態において、図外の遊技機設置構造体の電源設備の電源スイッチ及び電源装置の電源スイッチを投入すると、遊技機設置構造体の電源設備からの電力が電源コネクタ１２８、電源中継基板８６、電源基板接続コネクタ８７、電源接続コネクタ１３３を経由して電源装置６３に供給される。電源装置６３は、パチンコ機の電気部品に供給する電力を生成する。電源装置６３で生成された電力は、電源接続コネクタ１３３、電源基板接続コネクタ８７、電源中継基板８６、発射払出制御装置用中継コネクタ１２９、発射払出制御装置用中継コネクタ１２３を経由して、枠装着部品用中継コネクタ１２４、払出装置用中継コネクタ１２５、主制御装置用中継コネクタ１２６、球皿構造体用中継コネクタ１２７に供給され、これらに接続された基板を経由してパチンコ機の電気部品に供給される。また、電源装置６３で生成された電力は、電源接続コネクタ１３３、電源基板接続コネクタ８７、演出制御装置用中継コネクタ１３０を経由して演出制御基板に供給され、演出制御基板に接続されたパチンコ機の電気部品に供給される。
【００３２】
回路筐体６３Ａを回路筐体取付部７５より取り外す場合には、図３に示すように、指や器具でストッパ１１１を裏面５５の方向に押圧してストッパ１１１と回路筐体６３Ａの係止面３６Ｄとの係合を解除する（図３の（ａ）図参照）。この状態で解除操作体９５の持手部９９（図８参照）を右側に回して解除爪１０３で回路筐体６３Ａの被押圧面１５１を押圧することで、回路筐体６３Ａの前面６３Ｆの右側の下面がストッパ１１１上に乗上がり、電源基板接続コネクタ８７と電源接続コネクタ１３３との接続が解除される。電源基板接続コネクタ８７と電源接続コネクタ１３３との接続が解除された直後においては、係合片１３６と係合溝部１０９との係合はいまだ解除していない状態である。つまり、上述したように、距離ａが距離ｂより短く、電源接続コネクタ１３３と電源基板接続コネクタ８７との接続が完全に解除された後に係合片１３６と係合溝部１０９との係合が離脱し、回路筐体６３Ａを取付台７０の回路筐体取付部７５より取り外せる。よって、電源接続コネクタ１３３と電源基板接続コネクタ８７との接続が完全に解除される前に、互いに接続している雄端子５６や雌端子５７に、雄端子５６や雌端子５７を折れ曲がらせるような外力が加わることを阻止できるので、電源接続コネクタ１３３と電源基板接続コネクタ８７との接続を解除する際において雄端子５６や雌端子５７の折れ曲がりを防止できる。尚、図１において、７１ｄ、１３２ｄ、８６ｄは止ねじ締結用の支柱である。支柱７１ｄは裏面５５より裏側に突出して形成され、取付台７０を取り付けるための止ねじ７１ａが締結される。支柱１３２ｄは回路筐体６３Ａ内に設けられ、回路基板１３２を取り付けるための止ねじ１３２ａが締結される。支柱８６ｄは取付台７０の電源中継基板取付部７６より裏側に突出して形成され、電源中継基板８６を電源中継基板取付部７６に取り付けるための止ねじ８６ａが締結される。
【産業上の利用可能性】
【００３３】
台コネクタは回路筐体に設けられていても良く、この回路筐体に設けられた台コネクタとこの回路筐体とは別の回路筐体に設けられた筐コネクタとの接続を解除する場合にも本発明の回路筐体取付装置を適用できる。
【図面の簡単な説明】
【００３４】
【図１】遊技機の回路筐体取付装置を示す断面図（最良の形態）。
【図２】筐コネクタと台コネクタとを互いに接続する際の過程を示す作用説明図（最良の形態）。
【図３】筐コネクタと台コネクタとの接続を解除する際の過程を示す作用説明図（最良の形態）。
【図４】パチンコ機の遊技機枠と遊技盤とを分解して示す（最良の形態）。
【図５】可動枠の裏面構造図（最良の形態）。
【図６】可動枠における前壁の裏面構造図（最良の形態）。
【図７】回路筐体取付装置の分解斜視図（最良の形態）。
【図８】回路筐体取付装置の分解斜視図（最良の形態）。
【図９】解除操作装置を分解斜視図（最良の形態）。
【図１０】解除操作装置を示す斜視図（最良の形態）。
【図１１】回路筐体取付装置を下方から見た図（最良の形態）。
【符号の説明】
【００３５】
５５  前壁の裏面（回路筐体設置部）、６３  電源装置、６３Ａ  回路筐体、
７０  取付台、８７  電源基板接続コネクタ（台コネクタ）、９２  台係合部、
９５  解除操作体、１０３  解除爪、１１０  弾性片、１１１  ストッパ、
１３１  電気部品、１３２  回路基板、１３３  電源接続コネクタ（筐コネクタ）
１３４  筐係合部、ａ；ｂ  距離。
【図１】
2006334159.tif 000003
【図３】
2006334159.tif 000004
【図４】
2006334159.tif 000005
【図５】
2006334159.tif 000006
【図６】
2006334159.tif 000007
【図７】
2006334159.tif 000008
【図８】
2006334159.tif 000009
【図９】
2006334159.tif 000010
【図１０】
2006334159.tif 000011
【図２】
2006334159.tif 000012
【図１１】
2006334159.tif 000013